(57)【要約】【目的】ワークから吊具を外したときに自動的に吊具が上昇してワークとの接触を回避できる構造のスリング式吊り上げ装置を提供して、作業者が倒れたワークの下敷きになるような事故を未然に防止する。【構成】スリング１の先端に吊具５を連結したスリング式吊り上げ装置において、吊具の自重を持ち上げるに足りるが吊具にワークの荷重がかかったときにはそれらを持ち上げることができない範囲の弾性力を有する弾性材６を用い、スリング中間部において該弾性材の収縮時の長さ（Ｌ１）以上の距離（Ｌ２）だけ離れた２点に該弾性材を連結する。ワーク吊り上げのときには該弾性材が連結地点間距離（Ｌ２）と略同一になるまで伸張してスリングが直線状になるが、ワークを吊具から外したときには該弾性材が収縮して吊具が距離（Ｌ３＝Ｌ２−Ｌ１）だけ自動的に上昇する。【選択図】　　　図１
2004099193.tif 000002
【特許請求の範囲】
【請求項１】
スリングの先端に吊具を連結したスリング式吊り上げ装置において、吊具の自重を持ち上げるに足りるが吊具にワークの荷重がかかったときにはそれらを持ち上げることができない範囲の弾性力を有する弾性材を用い、スリング中間部において該弾性材の収縮時の長さ（Ｌ１）以上の距離（Ｌ２）だけ離れた２点に該弾性材を連結し、ワーク吊り上げのときには該弾性材が連結地点間距離（Ｌ２）と略同一になるまで伸張してスリングが直線状になるが、ワークを吊具から外したときには該弾性材が収縮して吊具を距離（Ｌ３＝Ｌ２−Ｌ１）だけ自動的に上昇させるように構成されてなることを特徴とするスリング式吊り上げ装置。
【発明の詳細な説明】
【０００１】
【発明の属する技術分野】
本発明は、チェーンスリング・ベルトスリング・ワイヤロープスリング等のスリングの先端に吊具を連結したスリング式吊り上げ装置に関する。
【０００２】
【従来の技術】
従来より、チェーンスリング・ベルトスリング・ワイヤロープスリング等のスリングの先端にクランプ・シャックル・フック等の吊具を連結したスリング式吊り上げ装置が鉄板やＨ形鋼等のワークの吊り上げに用いられている。
【０００３】
【発明が解決しようとする課題】
従来のスリング式吊り上げ装置を用いた吊り上げ作業では、吊り上げたワークを工事現場等の所定地点に着地させた後、ワークから吊具を外し、クレーンを用いて吊具を水平移動させるが、この際、吊具がワークに当たらない高さまで吊具全体をクレーンで巻き上げてから水平移動させる必要があった。吊具の巻き上げが不十分であると、クレーンによる移動中に吊具下端の吊具がワークに衝突して倒してしまう恐れがある。
【０００４】
作業者は、上記の操作要領を技術常識として熟知しているものの、現場での作業を急ぐ余りにクレーンによる巻き上げが不十分なままで水平移動に移ってしまうことがあり、倒れたワークの下敷きになる事故が後を絶たないのが現状である。
【０００５】
【課題を解決するための手段】
そこで本発明は、上記問題を解決し、ワークから吊具を外したときに自動的に吊具が上昇してワークとの接触を回避できる構造のスリング式吊り上げ装置を提供することを目的とする。
【０００６】
この目的を達成するため、請求項１にかかる本発明は、スリングの先端に吊具を連結したスリング式吊り上げ装置において、吊具の自重を持ち上げるに足りるが吊具にワークの荷重がかかったときにはそれらを持ち上げることができない範囲の弾性力を有する弾性材を用い、スリング中間部において該弾性材の収縮時の長さ（Ｌ１）以上の距離（Ｌ２）だけ離れた２点に該弾性材を連結し、ワーク吊り上げのときには該弾性材が連結地点間距離（Ｌ２）と略同一になるまで伸張してスリングが直線状になるが、ワークを吊具から外したときには該弾性材が収縮して吊具を距離（Ｌ３＝Ｌ２−Ｌ１）だけ自動的に上昇させるように構成されてなることを特徴としている。
【０００７】
【発明の実施の形態】
図１は本発明の一実施形態としてチェーンスリングを用いたシングル方式の吊り上げ装置を示し、チェーンスリング１の上端にカップリング２を介して吊環３が連結されるとともに、その下端にはカップリング４を介して吊具としてのクランプ５が連結されており、チェーンスリング１の中間部には弾性材６が設けられている。
【０００８】
弾性材６は、収縮時の長さＬ１を常態として、Ｌ１＜Ｌ２である距離Ｌ２だけ離れた２点で連結金具７，８によりチェーンスリング１に連結されている。
【０００９】
弾性材６の弾性力は、クランプ５の自重（正確には、連結金具８による連結点で受ける荷重であって、クランプ５の自重に加えて該連結点の下方にあるチェーンスリング１部分およびカップリング４の総重量）を持ち上げるに足りるがクランプ５にワーク（図示せず）の荷重がかかったときにはそれらを持ち上げることができない範囲に設定されている。
【００１０】
したがって、この吊り上げ装置の吊環３にクレーン（図示せず）をかけてワークを吊り上げるときには、ワークを含めた荷重が弾性材６の弾性力を上回るので、弾性材６が連結地点間距離Ｌ２と略同一になるまで伸張してチェーンスリングが直線状になる（同図（Ｂ））が、工事現場等の所定地点までワークを移動させた後に該地点に着地させてクランプ５から外したときには、弾性材６の弾性力が荷重を上回ることになるので、弾性材６が常態に収縮する（同図（Ａ））。このため、距離Ｌ３＝Ｌ２−Ｌ１だけクランプ５が自動的に上昇して、着地地点のワークとの干渉が回避されるので、ワーク吊り降ろしの直後にクレーンで吊り上げ装置を水平移動させても、ワークを倒して作業者がその下敷きになるような事故を起こすことがない。
【００１１】
図２は本発明の別の実施形態としてチェーンスリングを用いたダブル方式の吊り上げ装置を示し、２本のチェーンスリング１ａ，１ｂの上端にカップリング２ａ，２ｂを介して吊環３が連結されるとともに、各チェーンスリング１ａ，１ｂの下端にはカップリング４ａ，４ｂを介して吊具としてのクランプ５ａ，５ｂが連結されており、各チェーンスリング１ａ，１ｂの中間部には弾性材６ａ，６ｂが設けられている。この実施形態の作用は、前述の図１の実施形態の作用と略同様であるので、説明を省略する。
【００１２】
図３は本発明のさらに別の実施形態としてベルトスリングを用いたシングル方式の吊り上げ装置を示し、ベルトスリング１１の上端に吊環１２が連結されるとともに、その下端には吊具としてのクランプ１３が連結されており、ベルトスリング１１の中間部には弾性材１４が弛んだ状態で縫製部１５，１５でベルトスリング１１に添着されている。
【００１３】
弾性材１４の弾性力は、クランプ１３の自重（正確には、クランプ１３の自重に加えてベルトスリング１１の下方部分の重量を加えた総重量）を持ち上げるに足りるがクランプ１３にワーク（図示せず）の荷重がかかったときにはそれらを持ち上げることができない範囲に設定されている。
【００１４】
したがって、この吊具の吊環１２にクレーン（図示せず）をかけてワークを吊り上げるときには、ワークを含めた荷重が弾性材１４の弾性力を上回るので、弾性材１４が連結地点間距離Ｌ５と略同一になるまで伸張してベルトスリングが直線状になる（同図（Ｃ），（Ｄ））が、工事現場等の所定地点までワークを移動させた後に該地点に着地させてクランプ１３から外したときには、弾性材１４の弾性力が荷重を上回ることになるので、弾性材１４が常態に収縮して弛む（同図（Ａ），（Ｂ））。このため、距離Ｌ６＝Ｌ５−Ｌ４だけクランプ１３が自動的に上昇して、着地地点のワークとの干渉が回避されるので、ワーク吊り降ろしの直後にクレーンで吊り上げ装置を水平移動させても、ワークを倒して作業者がその下敷きになるような事故を起こすことがない。
【００１５】
図４は本発明の別の実施形態としてベルトスリングを用いたダブル方式の吊り上げ装置を示し、２本のベルトスリング１１ａ，１１ｂの上端に吊環１２が連結されるとともに、各ベルトスリング１１ａ，１１ｂの下端には吊具としてのクランプ１３ａ，１３ｂが連結されており、各ベルトスリング１１ａ，１１ｂの中間部には弾性材１４ａ，１４ｂが設けられている。この実施形態の作用は、前述の図３の実施形態の作用と略同様であるので、説明を省略する。
【００１６】
以上の実施形態において、弾性材６，６ａ，６ｂ，１４，１４ａ，１４ｂの材質は特に限定されないが、たとえば化学繊維からなる弾性材を用いることが好ましい。一例として、ナイロン（商標）のフィラメントの束を縮らせてヒートセットしたもの（ウーリーナイロン）で縫製して本発明の弾性材として好適に用いることができる。
【００１７】
また、本発明は上述の実施形態に限定されるものではなく、特許請求の範囲に記載された発明の範囲において様々な変形態様を取ることができる。たとえば、スリングにはチェーンスリングやベルトスリングのほか、ワイヤロープスリングを用いてもよい。
【００１８】
【発明の効果】
本発明によれば、スリングの先端に吊具を連結したスリング式吊具において、吊具の自重を持ち上げるに足りるが吊具にワークの荷重がかかったときにはそれらを持ち上げることができない範囲の弾性力を有する弾性材を用い、スリング中間部において該弾性材の収縮時の長さ（Ｌ１）以上の距離（Ｌ２）だけ離れた２点に該弾性材を連結した構成を有するので、ワーク吊り上げのときには該弾性材が連結地点間距離（Ｌ２）と略同一になるまで伸張してスリングが直線状になるが、ワークを吊具から外したときには該弾性材が収縮して吊具を距離（Ｌ３＝Ｌ２−Ｌ１）だけ自動的に上昇させる。このため、吊具が着地地点のワークと干渉することが回避され、ワーク吊り降ろしの直後にクレーンで吊具を水平移動させたときにワークが倒れて作業者がその下敷きになるような事故が未然に防止される。
【図面の簡単な説明】
【図１】本発明の一実施形態としてチェーンスリングを用いたシングル方式の吊具を示す正面図であって、（Ａ）はワーク解放時の状態、（Ｂ）はワーク吊上時の状態を示す図である。
【図２】本発明の別の実施形態としてチェーンスリングを用いたダブル方式の吊具を示す正面図であって、（Ａ）はワーク解放時の状態、（Ｂ）はワーク吊上時の状態を示す図である。
【図３】本発明のさらに別の実施形態としてベルトスリングを用いたシングル方式の吊具を示す図であって、（Ａ）および（Ｂ）はワーク解放時の状態を示す正面図および側面図、（Ｃ）および（Ｄ）はワーク吊上時の状態を示す正面図および側面図である。
【図４】本発明のさらに別の実施形態としてベルトスリングを用いたダブル方式の吊具を示す正面図であって、（Ａ）はワーク解放時の状態、（Ｂ）はワーク吊上時の状態を示す図である。
【符号の説明】
１，１ａ，１ｂ　チェーンスリング
２，２ａ，２ｂ　カップリング
３　吊環
４，４ａ，４ｂ　カップリング
５，５ａ，５ｂ　クランプ（吊具）
６，６ａ，６ｂ　弾性材
７，７ａ，７ｂ　連結金具
８，８ａ，８ｂ　連結金具
１１，１１ａ，１１ｂ　ベルトスリング
１２　吊環
１３，１３ａ，１３ｂ　クランプ（吊具）
１４，１４ａ，１４ｂ　弾性材
１５　縫製部
【図１】
2004099193.tif 000003
【図２】
2004099193.tif 000004
【図３】
2004099193.tif 000005
【図４】
2004099193.tif 000006
【手続補正書】
【提出日】平成14年9月9日(2002.9.9)
【手続補正１】
【補正対象書類名】明細書
【補正対象項目名】０００２
【補正方法】変更
【補正の内容】
【０００２】
【従来の技術】従来より、チェーンスリング・ベルトスリング・ワイヤロープスリング等のスリングの先端にクランプ・シャックル・フック等の吊具を連結したスリング式吊り上げ装置が鉄板やＨ形鋼等のワークの吊り上げに用いられている（たとえば、特許文献１〜３参照）。
【特許文献１】
特開２００２−０１２３８６号公報
【特許文献２】
特開平１１−２７８７８６号公報
【特許文献３】
登録実用新案第３０４２９５５号公報